(57)【要約】【課題】  パイプなどに傷つけることなく仮固定できる固定バンド及びこの固定バンドを設けた侵入者阻止用突片具を提供する。【解決手段】  板材を平面Ｃ字形に形成したバンド本体５と、前記バンド本体５の一端を外側に折り返した平面が円弧状の折り返し部６と、前記バンド本体５の他端に設けられ前記折り返し部６に外側より囲むように嵌着する内側を開口部８とした平面円弧状の嵌合部７と、前記折り返し部６に挿入する抜け止めピン９，10を備える。開口部８の開口幅Ｗを前記折り返し部６の最大幅Ｄよりも小さく形成する。嵌合部７を折り返し部６に圧着してバンド本体５をパイプ３に緊張状態で巻き付けることで、第１の抜け止めピン９、第２の抜け止めピン10がなくともバンド本体５、ひいては突片２をパイプ３に該パイプ３を傷付けることなく仮固定することができる。【選択図】図１
0003113711.tif 000002
【実用新案登録請求の範囲】
【請求項１】
板材を平面Ｃ字形に形成したバンド本体と、前記バンド本体の一端側を外側に折り返した平面が円弧状の折り返し部と、前記バンド本体の他端側に設けられ前記折り返し部に外側より囲むように嵌着する内側を開口部とした平面円弧状の嵌合部と、前記折り返し部に挿入する抜け止めピンを備え、前記開口部の開口幅を前記折り返し部の最大幅よりも小さく形成したことを特徴とする固定バンド。
【請求項２】
前記嵌合部に突起を外側に突設し、前記抜け止めピンに前記突起の外周に嵌合する外側部を連設したことを特徴とする請求項１記載の固定バンド。
【請求項３】
前記外側部は、長さ方向の両側に前記突起の縁部に嵌合する凹部を形成すると共に、前記凹部の間に前記突起に嵌合する凸部が設けられることを特徴とする請求項２記載の固定バンド。
【請求項４】
前記折り返し部の前記嵌合部側に隣接して前記バンド本体に円弧状部を形成し、該円弧状部は外側に突設すると共にその曲率半径を前記バンド本体の曲率半径よりも小さく形成し、かつ前記一端側先端に連設して前記円弧状部の押圧部を形成したことを特徴としたことを特徴とする請求項１〜３のいずか１項に記載の固定バンド。
【請求項５】
前記バンド本体に切り起し部を内側に向けて突設したことを特徴とする請求項１〜４のいずか１項に記載の固定バンド。
【請求項６】
前記最大幅が円弧状の前記折り返し部の直径であることを特徴とする請求項１〜５のいずか１項に記載の固定バンド。
【請求項７】
外側に向けた突片の基端を固定バンドに接続した侵入者阻止用突片具であって、前記固定バンドは、板材を平面Ｃ字形に形成したバンド本体と、前記バンド本体の一端側を外側に折り返した平面が円弧状の折り返し部と、前記バンド本体の他端側に設けられ前記折り返し部に外側より囲むように嵌着する内側を開口部とした平面円弧状の嵌合部と、前記折り返し部に挿入する抜け止めピンを備え、前記開口部の開口幅を前記折り返し部の最大幅よりも小さく形成したことを特徴とする固定バンドを設けた侵入者阻止用突片具。
【請求項８】
前記嵌合部に突起を外側に突設し、前記抜け止めピンに前記突起の外周に嵌合する外側部を連設したことを特徴とする請求項７記載の固定バンドを設けた侵入者阻止用突片具。
【請求項９】
前記外側部は、長さ方向の両側に前記突起の縁部に嵌合する凹部を形成すると共に、前記凹部の間に前記突起に嵌合する凸部が設けられることを特徴とする請求項８記載の固定バンドを設けた侵入者阻止用突片具。
【請求項１０】
前記折り返し部の前記嵌合部側に隣接して前記バンド本体に円弧状部を形成し、該円弧状部は外側に突設すると共にその曲率半径を前記バンド本体の曲率半径よりも小さく形成し、かつ前記嵌合部の前記一端側先端に連設して前記円弧状部の押圧部を形成したことを特徴としたことを特徴とする請求項７〜９のいずか１項に記載の固定バンドを設けた侵入者阻止用突片具。
【請求項１１】
前記バンド本体に切り起し部を内側に向けて突設したことを特徴とする請求項７〜１０のいずか１項に記載の固定バンドを設けた侵入者阻止用突片具。
【請求項１２】
前記最大幅が前記円弧状の折り返し部の直径であることを特徴とする請求項７〜１１のいずか１項に記載の固定バンドを設けた侵入者阻止用突片具。
【考案の詳細な説明】
【技術分野】
【０００１】
本考案は、パイプ等に侵入者阻止具等を固定するときなどに使用する固定バンド及びこの固定バンドを設けた侵入者阻止用突片具に関するものである。
【背景技術】
【０００２】
侵入者を阻止するための防犯用として縦向きな棒状の防護柵本体を、複数間隔をおいて並設した防護柵が公知である（例えば、特許文献１）。
【０００３】
このような防護柵は敷地を区画するため等のコンクリート或いはレンガなどにより形成された塀の上端面に設置されるものである。
【０００４】
このような塀の他に、建物の壁に沿って配置されその上端を樋に接続する縦樋としてのパイプにも侵入者を阻止するものが望まれている。
【０００５】
ところで、このようなパイプに侵入者阻止具を固定するには、バンドをボルトで締め付ける方法やクサビを打ち込んで固定する方法、或いはボルトを貫通したり、ビスを打ち込んで固定する方法などが周知である。
【０００６】
また、固定バンドのボルト取り付け部を二重構造とし、その内面部の板を湾曲させてパイプに突き当たるまでの長さに形成すると共に、湾曲部の先端は波板状に成形し食い込み刃としたものも公知である（例えば、特許文献２）。
【特許文献１】実用新案登録第３１０３６９０号公報
【特許文献２】特開２００４−７６７７６号公報
【考案の開示】
【考案が解決しようとする課題】
【０００７】
しかし、従来技術のボルト式、クサビ式、ビス打ち込み式の固定バンドにおいては、例えばパイプに侵入者阻止具を取り付ける際、いったん固定バンドを仮止めしなければ固定バンドが取り付け時に落下してしまうおそれがある。さらに、特許文献２のような固定バンドでは食い込み刃により仮固定できるものの、パイプに食い込み刃による傷がついてしまうというおそれがある。
【０００８】
解決しようとする問題点は、パイプなどに傷つけることなく仮固定できる固定バンド及びこの固定バンドを設けた侵入者阻止用突片具を提供する点である。さらに、抜け止めピンの抜け止め作用を高めた固定バンド及びこの固定バンドを設けた侵入者阻止用突片具を提供する点である。
【課題を解決するための手段】
【０００９】
請求項１の考案は、板材を平面Ｃ字形に形成したバンド本体と、前記バンド本体の一端側を外側に折り返した平面が円弧状の折り返し部と、前記バンド本体の他端側に設けられ前記折り返し部に外側より囲むように嵌着する内側を開口部とした平面円弧状の嵌合部と、前記折り返し部に挿入する抜け止めピンを備え、前記開口部の開口幅を前記折り返し部の最大幅よりも小さく形成したことを特徴とする固定バンドである。
【００１０】
請求項２の考案は、前記嵌合部に突起を外側に突設し、前記抜け止めピンに前記突起の外周に嵌合する外側部を連設したことを特徴とする請求項１記載の固定バンドである。
【００１１】
請求項３の考案は、前記外側部は、長さ方向の両側に前記突起の縁部に嵌合する凹部を形成すると共に、前記凹部の間に前記突起に嵌合する凸部が設けられることを特徴とする請求項２記載の固定バンドである。
【００１２】
請求項４の考案は、前記折り返し部の前記嵌合部側に隣接して前記バンド本体に円弧状部を形成し、該円弧状部は外側に突設すると共にその曲率半径を前記バンド本体の曲率半径よりも小さく形成し、かつ前記一端側先端に連設して前記円弧状部の押圧部を形成したことを特徴としたことを特徴とする請求項１〜３のいずか１項に記載の固定バンドである。
【００１３】
請求項５の考案は、前記バンド本体に切り起し部を内側に向けて突設したことを特徴とする請求項１〜４のいずか１項に記載の固定バンドである。
【００１４】
請求項６の考案は、前記最大幅が円弧状の前記折り返し部の直径であることを特徴とする請求項１〜５のいずか１項に記載の固定バンドである。
【００１５】
請求項７の考案は、外側に向けた突片の基端を固定バンドに接続した侵入者阻止用突片具であって、前記固定バンドは、板材を平面Ｃ字形に形成したバンド本体と、前記バンド本体の一端側を外側に折り返した平面が円弧状の折り返し部と、前記バンド本体の他端側に設けられ前記折り返し部に外側より囲むように嵌着する内側を開口部とした平面円弧状の嵌合部と、前記折り返し部に挿入する抜け止めピンを備え、前記開口部の開口幅を前記折り返し部の最大幅よりも小さく形成したことを特徴とする固定バンドを設けた侵入者阻止用突片具である。
【００１６】
請求項８の考案は、前記嵌合部に突起を外側に突設し、前記抜け止めピンに前記突起の外周に嵌合する外側部を連設したことを特徴とする請求項７記載の固定バンドを設けた侵入者阻止用突片具である。
【００１７】
請求項９の考案は、前記外側部は、長さ方向の両側に前記突起の縁部に嵌合する凹部を形成すると共に、前記凹部の間に前記突起に嵌合する凸部が設けられることを特徴とする請求項８記載の固定バンドを設けた侵入者阻止用突片具である。
【００１８】
請求項１０の考案は、前記折り返し部の前記嵌合部側に隣接して前記バンド本体に円弧状部を形成し、該円弧状部は外側に突設すると共にその曲率半径を前記バンド本体の曲率半径よりも小さく形成し、かつ前記嵌合部の前記一端側先端に連設して前記円弧状部の押圧部を形成したことを特徴としたことを特徴とする請求項７〜９のいずか１項に記載の固定バンドを設けた侵入者阻止用突片具である。
【００１９】
請求項１１の考案は、前記バンド本体に切り起し部を内側に向けて突設したことを特徴とする請求項７〜１０のいずか１項に記載の固定バンドを設けた侵入者阻止用突片具である。
【００２０】
請求項１２の考案は、前記最大幅が前記円弧状の折り返し部の直径であることを特徴とする請求項７〜１１のいずか１項に記載の固定バンドを設けた侵入者阻止用突片具である。
【考案の効果】
【００２１】
請求項１の考案によれば、開口部を介して嵌合部を折り返し部に嵌合することで、パイプ等を傷付けることなく固定バンドを仮固定することができる。
【００２２】
請求項２の考案によれば、抜け止めピンの外側部を嵌合部の突起に嵌合することで抜け止めピンの抜け止めを確実に行うことができる。
【００２３】
請求項３の考案によれば、抜け止めピンの外側部における両側の凹部及びその間に凸部を設けて嵌合部の突起に嵌合させることにより、外側部における長さ方向の両側において抜け止めを確実に行うことができる。
【００２４】
請求項４の考案によれば、外側に突設している円弧状部を、嵌合部に連設した押圧部によって押圧することで、その円弧状部のばね力の復元力によって折り返し部と嵌合部との嵌合を強力にすることができる。
【００２５】
請求項５の考案によれば、内側に向けて突設した切り起し部によってパイプ等の被固定物に圧着してバンド本体の途中の緩みを阻止することができる。
【００２６】
請求項６の考案によれば、前記開口部の開口幅を前記折り返し部における円弧状の折り返し部の直径よりも小さく形成したことで、嵌合部からの折り返し部の抜けを確実に阻止することができる。
【００２７】
請求項７の考案によれば、固定バンドを設けた侵入者阻止用突片具において、開口部を介して嵌合部を折り返し部に嵌合することで、固定バンドをパイプ等を傷付けることなく仮固定することができる。
【００２８】
請求項８の考案によれば、固定バンドを設けた侵入者阻止用突片具において、抜け止めピンの外側部を嵌合部の突起に嵌合することで抜け止めピンの抜け止めを確実に行うことができる。
【００２９】
請求項９の考案によれば、固定バンドを設けた侵入者阻止用突片具において、抜け止めピンの外側部における両側の凹部及びその間に凸部を設けて嵌合部の突起に嵌合させることにより、外側部における長さ方向の両側において抜け止めを確実に行うことができる。
【００３０】
請求項１０の考案によれば、外側に突設している円弧状部に隣接した円弧状部を、嵌合部に連設した押圧部によって押圧することで、その円弧状部のばね力の復元力によって折り返し部と嵌合部との嵌合を強力にすることができる。
【００３１】
請求項１１の考案によれば、固定バンドを設けた侵入者阻止用突片具において、内側に向けて突設した切り起し部によってパイプ等の被固定物に圧着してバンド本体の途中の緩みを阻止することができる。
【００３２】
請求項１２の考案によれば、固定バンドを設けた侵入者阻止用突片具において、前記開口部の開口幅を前記折り返し部における円弧状の折り返し部の直径よりも小さく形成したことで、嵌合部からの折り返し部の抜けを確実に阻止することができる。
【考案を実施するための最良の形態】
【００３３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３４】
図１〜図８は実施例１を示しており、図１、図７に示すように侵入者阻止用突片具１は、剣先状の突片２を縦樋などのパイプ３に一体的に設けたものであり、固定バンド４は、軸線４Ａを中心として平面がほぼ円形をなした平面Ｃ字形のバンド本体５を有しており、その周方向の一端側の外側、すなわち軸線４Ａと反対側に折り返し部６が外側に向けて設けられている。そして、バンド本体５の周方向の他端側の外側に折り返し部６を外側より囲むように嵌合する嵌合部７が設けられている。そして、折り返し部６の外側に嵌合部７を嵌合した状態で、上下方向からそれぞれ第１の抜け止めピン９と第２の抜け止めピン10が折り返し部６の内部に挿入している。
【００３５】
前記バンド本体５はステンレス鋼の金属製薄板から形成されて弾性を有しており、一部を開口11とすると共に厚み方向を上下方向に向ける共に、幅方向を軸線４Ａと平行に配置して平面をＣ字形に形成している。そして、バンド本体５の周方向における中央の左右には内側へ突設した一対の切り起し部12が形成されており、この一対の切り起し部12は正面を横Ｕ字形に切り抜いてその先端13はそれぞれ一端、他端にそれぞれ向いて内側に突設するように形成されている。
【００３６】
バンド本体５に取り付ける剣先状の突片２は、剣先状の先端13がパイプ３側から外側に突設するものであり、実施例では底部14にそれぞれの基端15を接続して左右一対の突片２を一体に突設したものを示しており、基端15にはバンド本体５が貫通可能な貫通孔16が形成されている。そして、一体に形成された左右一対の突片２の基端15間を接続する底部14外周を前記バンド本体５の内周に当接するようにしている。
【００３７】
前記折り返し部６はバンド本体５の一端側を外側に折り返した平面が円弧状のものであり、さらに、バンド本体５の他端側にも設けられ折り返し部６に外側より囲むように嵌合する嵌合部７の平面は略半円状であり、嵌合部７の外側に周方向に長い突起17を形成している。この突起17は外側に向けて突設したもので、嵌合部７のほぼ全周にわたって設けられている。そして、嵌合部７における内側を向いた開口７Ａの幅Ｗ、すなわち開口７Ａにおけるバンド本体５の周方向の開口幅Ｗは、折り返し部６の最大幅である曲率直径Ｄよりも小さく形成している（Ｗ＜Ｄ）。
【００３８】
第１の抜け止めピン９は、円弧状に折り返した第１の頭部18の一方に折り返し部６に挿入する第１の直線部19を形成し、第１の頭部18の他方には第１の外側部20を設けている。第１の外側部20は長手方向の両側に配置した第１の凹部21の間に第１の凸部22を直列に形成している。同様に第２の抜け止めピン10は、第２の頭部23の一方に折り返し部６に挿入する第２の直線部24を形成し、第２の頭部23の他方には第２の外側部25を設けている。第２の外側部25は長手方向の両側に配置した第２の凹部26の間に第２の凸部27を直列に形成している。
【００３９】
さらに、図１、５に示すように前記折り返し部６の嵌合部７側に隣接して円弧状部28を形成する。そして、バンド本体５の他端側先端、すなわち嵌合部７の先端側に連設して円弧状部28の押圧部29を形成する。円弧状部28はバンド本体５の一部を外側に突設して形成したものであり。円弧状部28に力が加わらない状態では円弧状部28の曲率半径ｒを、開口11を閉じたとき又は開いたときの前記バンド本体５の曲率半径Ｒよりも小さく形成している（ｒ＜Ｒ）。一方、押圧部29はバンド本体５の曲率半径Ｒを有するように平面を円弧状に形成しており、この押圧部29には突起17が延長して形成されている。
【００４０】
次に前記構成について使用方法を説明する。図２に示すように突片２の基端15にある貫通孔16にバンド本体５を貫通して左右一対の突片２を３組取り付ける。この際、中央の突片２は一対の切り起し部12の中間に配置し、他の突片２は一対の切り起し部12の左右に配置する。さらに、底部14外周をバンド本体５の内周に当接するように配置する。
【００４１】
図３に示すように、開口11を押し広げてパイプ３にバンド本体５を外嵌する。この際、押し広げられたバンド本体５は弾性によって復元してパイプ３に沿うようになる。そして図４に示すように嵌合部７を該嵌合部７の弾性力に抗して外側からパイプ３側へ押し込んで、その押し込む力で折り返し部６の外側より嵌合部７を嵌合する。この嵌合にあっては嵌合部７を折り返し部６側にやや引張るようにした状態で嵌合する。この際、開口７Ａの幅Ｗ、すなわち開口７Ａにおけるバンド本体５の周方向の開口幅Ｗは、折り返し部６の最大幅である曲率直径Ｄよりも小さく形成している（Ｗ＜Ｄ）ので、嵌合部７は押し広げられ、一方折り返し部６は押し縮められるようになって、折り返し部６に嵌合部７が圧着するようになり、この結果軸線４Ａを中心としたバンド本体５の直径は縮まって、バンド本体５がパイプ３に圧着して図５のように仮固定がなされる。さらに、折り返し部６に嵌合して固定状態にある嵌合部７と一体となった押圧部29によって円弧状部28はパイプ３側に押圧され、円弧状部28は曲率半径ｒからパイプ３の曲率半径に変形する。そして、円弧状部28はパイプ３の曲率半径に変形するように押圧し続ける。この押圧状態にあっては、円弧状部28のばね力の復元力によって折り返し部６と嵌合部７との嵌合を強力にすることができる。
【００４２】
次に図６に示すように第１の頭部18を上向きとして第１の抜け止めピン９の第１の直線部19を折り返し部６に挿入すると共に第１の外側部20を嵌合部７の外周に配置する。この第１の外側部20の配置にあっては、図７に示すように第１の凹部21が突起17の縁部17Ａに配置されると共に、第１の凸部22が突起17に嵌合することで第１の抜け止めピン９の抜け止めが図られている。同様に第２の頭部23を下向きとして第２の抜け止めピン10の第２の外側部25を折り返し部６に挿入すると共に第２の外側部25を嵌合部７に嵌合することで第２の抜け止めピン10の抜け止めが図られている。
【００４３】
そして、３組ある左右一対の突片２のうち左右に配置されて組のものを、バンド本体５に沿って移動して適正な方向に突片２を向かせるものである。
【００４４】
以上のように、前記実施例では請求項１に対応して板材を平面Ｃ字形に形成したバンド本体５と、前記バンド本体５の一端を外側に折り返した平面が円弧状の折り返し部６と、前記バンド本体５の他端に設けられ前記折り返し部６に外側より囲むように嵌着する内側を開口部８とした平面円弧状の嵌合部７と、前記折り返し部６に挿入する抜け止めピン９，10を備え、前記開口部８の開口幅Ｗを前記折り返し部６の最大幅Ｄよりも小さく形成したことで、嵌合部７を折り返し部６に圧着してバンド本体５をパイプ３に緊張状態で巻き付けることで、第１の抜け止めピン９、第２の抜け止めピン10がなくともバンド本体５、ひいては突片２をパイプ３に該パイプ３を傷付けることなく仮固定することができる。
【００４５】
また、前記実施例では請求項２に対応して前記嵌合部７の内側に突起17を外側に突設し、抜け止めピン９，10に突起17の外周に嵌合する外側部20，25を設けたことで、第１の外側部20、第２の外側部25により抜け止めを確実に行うことができる。
【００４６】
さらに、前記実施例では請求項３に対応して前記外側部20，25は、長さ方向の両側に前記突起17の縁部17Ａに嵌合する凹部21，26を形成すると共に、前記凹部21，26の間に前記突起17に嵌合する凸部22，27が設けられることにより、第１の抜け止めピン９、第２の抜け止めピン10は上下いずれの方向からも抜け出ることはなくなり、外側部20，25における長さ方向の両側においていっそう抜け止めを確実に行うことができる。
【００４７】
さらに、前記実施例では請求項４に対応して前記折り返し部６の前記嵌合部７側に隣接して前記バンド本体５に円弧状部28を形成し、該円弧状部28は外側に突設すると共にその曲率半径ｒを前記バンド本体５の曲率半径Ｒよりも小さく形成し、かつ前記一端側先端に連設して前記円弧状部28の押圧部29を形成したことによって、外側に突設している円弧状部28を、嵌合部７に連設した押圧部29によって押圧することで、その円弧状部28のばね力の復元力によって折り返し部６と嵌合部７との嵌合を強力にすることができる。
【００４８】
また、前記実施例では請求項５に対応して前記バンド本体５に切り起し部12を内側に向けて突設したことで、パイプ３に圧着してバンド本体５の途中の緩みを阻止することができる。
【００４９】
しかも、前記実施例では請求項６に対応して前記開口部８の開口幅Ｗを前記折り返し部６における円弧状の折り返し部の直径Ｄよりも小さく形成したことで、嵌合部７からの折り返し部６の抜けを確実に阻止することができる。
【００５０】
さらにまた、前記実施例では請求項７〜１２においては、固定バンド４に剣先状の突片２を設けた侵入者阻止用突片具１において、固定バンド４を上述の請求項１〜６のようにすることにより、嵌合部７からの折り返し部６の抜けを確実に阻止すること等ができる。
【産業上の利用可能性】
【００５１】
以上のように本考案にかかる固定バンドは種々の用途に適用できる。
【図面の簡単な説明】
【００５２】
【図１】本考案の実施例１を示す一部を拡大した分解斜視図である。
【図２】本考案の実施例１を示す分解斜視図である。
【図３】本考案の実施例１を示す接続前の要部の斜視図である。
【図４】本考案の実施例１を示す接続直前の要部の斜視図である。
【図５】本考案の実施例１を示す接続後の要部の斜視図である。
【図６】本考案の実施例１を示す抜け止めピン挿入途中の斜視図である。
【図７】本考案の実施例１を示す抜け止めピン挿入後の斜視図である。
【図８】本考案の実施例１を示す突片を移動させる状態の斜視図である。
【符号の説明】
【００５３】
２  突片
３  パイプ
５  バンド本体
６  折り返し部
７  嵌合部
８  開口部
９，10  抜け止めピン
17  突起
20，25  外側部
21，26  凹部
22，27  凸部
28  円弧状部
29  押圧部
Ｄ  曲率直径
ｒ  Ｒ  半径
Ｗ  幅
【図１】
0003113711.tif 000003
【図２】
0003113711.tif 000004
【図３】
0003113711.tif 000005
【図４】
0003113711.tif 000006
【図５】
0003113711.tif 000007
【図６】
0003113711.tif 000008
【図７】
0003113711.tif 000009
【図８】
0003113711.tif 000010